【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
第一の吸水性紙層部と、第二の吸水性紙層部と、前記第一及び第二の吸水性紙層部間に、感熱高分子ゲル及びパルプを含有して形成されている吸水性材料層部とを備えており、前記第一の吸水性紙層部、吸水性材料層部及び第二の吸水性紙層部は、合わせられて一体に形成されていることを特徴とする吸収体。
【請求項２】
第一の吸水性紙層部と、第二の吸水性紙層部と、前記第一及び第二の吸水性紙層部間に、感熱高分子ゲル、パルプ及び前記プラスチックを含有して形成されている吸水性材料層部とを備えており、前記第一の吸水性紙層部、吸水性材料層部及び第二の吸水性紙層部は、合わせられて一体に形成されていることを特徴とする吸収体。
【請求項３】
第一の吸水性紙層部と、第二の吸水性紙層部と、前記第一及び第二の吸水性紙層部間に設けられ、感熱高分子ゲル、パルプ及びプラスチック及び前記感熱高分子ゲルより少量の界面活性剤を含んで形成されている吸水性材料層部とを備えており、前記第一の吸水性紙層部、吸水性材料層部及び第二の吸水性紙層部は、合わせられて一体に形成されていることを特徴とする吸収体。
【請求項４】
第一の吸水性紙層部と、第二の吸水性紙層部と、前記第一の吸水性紙層部と第二の吸水性紙層部の間に配置されている第三の吸水性紙層部と、前記第一の吸水性紙層部及び第三の吸水性紙層部の間に、感熱高分子ゲル及びパルプを含有して形成されている第一の吸水性材料層部と、前記第二の吸水性紙層部及び第三の吸水性紙層部の間に、感熱高分子ゲル及びパルプを含有して形成されている第二の吸水性材料層部とを備えており、前記第一、第二及び第三の吸水性紙層部並びに第一及び第二の吸水性材料層部は、合わせられて一体に形成されていることを特徴とする吸収体。
【請求項５】
第一の吸水性紙層部と、第二の吸水性紙層部と、前記第一の吸水性紙層部と第二の吸水性紙層部の間に配置されている第三の吸水性紙層部と、前記第一の吸水性紙層部及び第三の吸水性紙層部の間に、感熱高分子ゲル及びパルプを含有して形成されている第一の吸水性材料層部と、前記第二の吸水性紙層部及び第三の吸水性紙層部の間に、感熱高分子ゲル、パルプ及びプラスチックを含有して形成されている第二の吸水性材料層部とを備えており、前記第一、第二及び第三の吸水性紙層部並びに第一及び第二の吸水性材料層部は、合わせられて一体に形成されていることを特徴とする吸収体。
【請求項６】
第一の吸水性紙層部と、第二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル、パルプ及びプラスチックを含有して形成されている第一の吸水性材料層部と、第二の吸水性紙層部及び第三の吸水性紙層部の間に、感熱高分子ゲル、パルプ及びプラスチックを含有して形成されている第二の吸水性材料層部とを備えており、前記第一第二及び第三の吸水性紙層部並びに第一及び第二の吸水性材料層部は、合わせられて一体に形成されていることを特徴とする吸収体。
【請求項７】
第一の吸水性紙層部と、二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル及びパルプを含有して形成されている第一の吸水性材料層部と、第二の吸水性紙層部及び第三の吸水性紙層部の間に、感熱高分子ゲル、パルプ、プラスチック及び感熱高分子ゲルより少量の界面活性剤を含有して形成されている第二の吸水性材料層部とを備えており、前記第一、第二及び第三の吸水性紙層部並びに第一及び第二の吸水性材料層部は、合わせられて一体に形成されていることを特徴とする吸収体。
【請求項８】
第一の吸水性紙層部と、第二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル、パルプ、プラスチック及び感熱高分子ゲルより少量の界面活性剤を含有して形成されている第一の吸水性材料層部と、第二の吸水性紙層部及び第三の吸水性紙層部の間に、感熱高分子ゲル、パルプ、プラスチック及び感熱高分子ゲルより少量の界面活性剤を含有して形成されている第二の吸水性材料層部とを備えており、前記第一、第二及び第三の吸水性紙層部並びに第一及び第二の吸水性材料層部は、合わせられて一体に形成されていることを特徴とする吸収体。
【請求項９】
表面を形成する透水性薄層部と、背面を形成する不透水性薄層部と、前記透水性薄層部及び不透水性薄層部の間に設けられている前記請求項１乃至８の何れか一項に記載の吸収体とを備え、前記吸収体は、その一方の面を、前記透水性薄層部の背面に接し、その他方の面を、不透水性薄層部の表面に接して配置されていることを特徴とするシーツ。
【請求項１０】
表面を形成する表面透水性薄層部と、背面を形成する背面透水性薄層部と、前記表面透水性薄層部及び背面透水性薄層部間に設けられている前記請求項１乃至８の何れか一項に記載の吸収体とを備え、前記吸収体は、その表面側及び背面側の両外面を、前記表面及び背面の両透水性薄層部の夫々の内面に接して配置されることにより形成されていることを特徴とするシーツ。
【請求項１１】
表面を形成する透水性薄層部と、背面を形成する不透水性薄層部と、前記透水性薄層部及び不透水性薄層部の間に設けられている前記請求項１乃至８の何れか一項に記載の吸収体とを備え、前記吸収体は、その表面側の面を、前記透水性薄層部の内側の面に接し、その背面側の面を、不透水性薄層部の内側の面に接して配置されることにより形成されていることを特徴とする包装材料。
【請求項１２】
表面を形成する表面側透水性薄層部と、背面を形成する背面側透水性薄層部と、前記表面側透水性薄層部及び背面側透水性薄層部間に設けられている前記請求項１乃至８の何れか一項に記載の吸収体とを備え、前記吸収体は、その表面側及び背面側の両外面を、前記表面及び背面の両透水性薄層部の夫々の内面に接して配置されることにより形成されていることを特徴とする包装材料。
【手続補正２】
【補正対象書類名】明細書
【補正対象項目名】００１０
【補正方法】変更
【補正の内容】
【００１０】
また本発明は、第一の吸水性紙層部と、第二の吸水性紙層部と、前記第一の吸水性紙層部と第二の吸水性紙層部の間に配置されている第三の吸水性紙層部と、前記第一の吸水性紙層部及び第三の吸水性紙層部の間に、感熱高分子ゲル及びパルプを含有して形成されている第一の吸水性材料層部又は感熱高分子ゲル、パルプ及び吸水性樹脂を含有して形成されている第一の吸水性材料層部と、前記第二の吸水性紙層部及び第三の吸水性紙層部の間に、感熱高分子ゲル、パルプ及びプラスチックを含有して形成されている第二の吸水性材料層部又は感熱高分子ゲル、パルプ、プラスチック及び吸水性樹脂を含有して形成されている第二の吸水性材料層部とを備えており、前記第一、第二及び第三の吸水性紙層部並びに第一及び第二の吸水性材料層部は、合わせられて一体に形成されていることを特徴とする吸収体にあり、さらに、本発明は、第一の吸水性紙層部と、第二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル、パルプ及びプラスチックを含有して形成されている第一の吸水性材料層部又は感熱高分子ゲル、パルプ、プラスチック及び吸水性樹脂を含有して形成されている第一の吸水性材料層部と、第二の吸水性紙層部及び第三の吸水性紙層部の間に、感熱高分子ゲル、パルプ及びプラスチックを含有して形成されている第二の吸水性材料層部又は感熱高分子ゲル、パルプ、プラスチック及び吸水性樹脂を含有して形成されている第二の吸水性材料層部とを備えており、前記第一第二及び第三の吸水性紙層部並びに第一及び第二の吸水性材料層部は、合わせられて一体に形成されていることを特徴とする吸収体にあり、さらにまた、第一の吸水性紙層部と、二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル及びパルプを含有して形成されている第一の吸水性材料層部又は感熱高分子ゲル、パルプ及び吸水性樹脂を含有して形成されている第一の吸水性材料層部と、第二の吸水性紙層部及び第三の吸水性紙層部の間に、感熱高分子ゲル、パルプ、プラスチック及び感熱高分子ゲルより少量の界面活性剤を含有して形成されている第二の吸水性材料層部又は感熱高分子ゲル、パルプ、プラスチック、感熱高分子ゲルより少量の界面活性剤及び吸水性樹脂を含有して形成されている第二の吸水性材料層部とを備えており、前記第一、第二及び第三の吸水性紙層部並びに第一及び第二の吸水性材料層部は、合わせられて一体に形成されていることを特徴とする吸収体にあり、さらに加えて、本発明は、第一の吸水性紙層部と、第二の吸水性紙層部と、前記第一の吸水性紙層部と第二の吸水性紙層部の間に配置されている第三の吸水性紙層部と、第一の吸水性紙層部及び第三の吸水性紙層部の間に、感熱高分子ゲル、パルプ、プラスチック及び感熱高分子ゲルより少量の界面活性剤を含有して形成されている第一の吸水性材料層部又は感熱高分子ゲル、パルプ、プラスチック、感熱高分子ゲルより少量の界面活性剤及び吸水性樹脂を含有して形成されている第一の吸水性材料層部と、第二の吸水性紙層部及び第三の吸水性紙層部の間に、感熱高分子ゲル、感熱高分子ゲル、パルプ、プラスチック及び感熱高分子ゲルより少量の界面活性剤を含有して形成されている第二の吸水性材料層部又は感熱高分子ゲル、感熱高分子ゲル、パルプ、プラスチック、感熱高分子ゲルより少量の界面活性剤及び吸水性樹脂を含有して形成されている第二の吸水性材料層部とを備えており、前記第一、第二及び第三の吸水性紙層部並びに第一及び第二の吸水性材料層部は、合わせられて一体に形成されていることを特徴とする吸収体にある。
そして、本発明の吸収体において、第一の吸水性紙層部、吸水性材料層部若しくは第二の吸水性紙層部、又は第一の吸水性紙層部、吸水性材料層部及び第二の吸水性紙層部の中の二種以上の層部には、その少なくとも一部に、殺菌性を有する物質又は脱臭機能を有する物質、又は殺菌性を有する物質及び脱臭機能を有する物質を含有させることができ、また、本発明の吸収体において、第一の吸水性紙層部、第一の吸水性材料層部、第三の吸水性紙層部、第二の吸水性材料層部若しくは第二の吸水性紙層部、又は第一の吸水性紙層部、第一の吸水性材料層部、第三の吸水性紙層部、第二の吸水性材料層部若しくは第二の吸水性紙層部の中の二種以上の層部には、その少なくとも一部に、殺菌性を有する物質又は脱臭機能を有する物質、又は殺菌性を有する物質及び脱臭機能を有する物質を含有させることができる。そして、本発明の吸収体において、吸水性材料層部、第一若しくは第二の吸水性材料層部又は第一及び第二の吸水性材料層部は、さらに吸水性樹脂を含んで形成することができる。そしてまた、本発明の吸収体において、吸水性材料層部、第一若しくは第二の吸水性材料層部又は前記第一及び第二の吸水性材料層部は、さらに感熱高分子ゲルに対し同量以下の量で吸水性樹脂を含んで形成することができる。さらに、本発明の吸収体において、第一、第二若しくは第三の吸水性紙層部、又は前記第一第二及び第三の吸水性紙層部の中の二種以上の紙層部は、吸収紙、薄葉紙、レーヨン紙若しくは衛生用紙又はこれらの二種以上を組み合わせた紙とすることができ、また、パルプは、７ｍｍ以下の粒度のパルプ廃材又は紙粉を包含するパルプ材料とすることができ、さらに、プラスチックは、７ｍｍ以下の粒度の廃プラスチック材料を包含するものとすることができる。そして、本発明の吸収体において、パルプ材料は、トイレットペーパー廃材、ティッシュペーパー廃材、化粧紙廃材、紙ナプキン廃材、ちり紙廃材、紙綿廃材、紙タオル廃材、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材若しくは衛生用品廃棄物の分級産物のフラッフパルプから回収されたパルプ含有材料、又は便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材若しくは失禁パッド廃材若しくは動物用シーツ廃材から回収されたパルプ含有材料又はこれら回収されたパルプ含有材料二以上を含む混合物とすることができる。また、本発明の吸収体において、紙粉は、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれらから回収された紙粉、又は回収された紙粉の二以上を含む混合物とすることができる。さらに、本発明の吸収体において、吸水性材料層部並びに第一及び第二吸水性材料層部は、パルプ材料を、３０乃至８０重量パーセントの含有率で含有するものとすることができる。さらにまた、本発明の吸収体において、吸水性材料層部並びに第一及び第二吸水性材料層部は、パルプ材料を、５０乃至７０重量パーセントの含有率で含有するものとすることができる。さらにまた、本発明の吸収体において、廃プラスチック材料は、紐状合成樹脂廃材、フィルム状合成樹脂廃材、シート状合成樹脂廃材、紐状合成ゴム廃材、フィルム状合成ゴム廃材、シート状合成ゴム廃材、ラミネート紙廃材、紙おむつ廃材、乳パッド廃材、尿パッド廃材若しくは生理用ナプキン廃材、又は紙おむつ廃材、乳パッド廃材、尿パッド廃材若しくは生理用ナプキン廃材から回収された廃プラスチック材料、又は前記廃プラスチック材料の二以上を包含するものとすることができる。そして、本発明の吸収体において、感熱高分子ゲルは、回収された感熱高分子ゲルを包含するものとすることができる。そしてまた、本発明の吸収体において、感熱高分子ゲルは、吸水性材料層部に、３０重量パーセント以下の含有率で含有させることができる。さらに、本発明の吸収体において、吸水性樹脂は、動物用排泄物処理材の廃材、寝具用シーツ廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、衛生用品廃棄物の分級産物のフラッフパルプ若しくは吸水性繊維廃材に含まれる吸水性樹脂又は前記廃材から回収された吸水性樹脂又はこれら回収された吸水性樹脂の二以上を含む吸水性樹脂混合物とすることができる。さらに、本発明の吸収体において、第一の吸水性紙層部が吸収体の表面を形成するものであり、第二吸水性紙層部が吸収体の背面を形成するものとすることができる。
【手続補正３】
【補正対象書類名】明細書
【補正対象項目名】００１１
【補正方法】変更
【補正の内容】
【００１１】
そして本発明は、表面を形成する透水性薄層部と、背面を形成する不透水性薄層部と、透水性薄層部及び不透水性薄層部の間に、前記のように、第一の吸水性紙層部と、第二の吸水性紙層部と、前記第一及び第二の吸水性紙層部間に設けられている吸水性材料層部とを備えており、これら前記第一の吸水性紙層部、吸水性材料層部及び第二の吸水性紙層部は、合わせられて一体に形成されて吸収体を備え、前記吸収体は、その一方の面を、前記透水性薄層部の背面に接し、その他方の面を、不透水性薄層部の表面に接して配置されており、ここで前記吸水性材料層部は、パルプ材料及び感熱高分子ゲルを含有する吸水性混合物、パルプ材料、プラスチック材料及び感熱高分子ゲルを含有する吸水性混合物、パルプ材料又はプラスチック材料、感熱高分子ゲル及び界面活性剤を含有する吸水性混合物又はこれらの吸水性混合物の夫々にさらに吸水性樹脂が含有されている吸水性混合物により形成されていることを特徴とするシーツにあり、また本発明は、表面を形成する表面透水性薄層部と、背面を形成する背面透水性薄層部とを備えており、前記表面透水性薄層部及び背面透水性薄層部間に、表面側の第一の吸水性紙層部と、背面側の第二の吸水性紙層部と、前記第一の吸水性紙層部と第二の吸水性紙層部の間に配置されている第三の吸水性紙層部とを備えており、前記第一の吸水性紙層部及び第三の吸水性紙層部の間に、表面側の第一の吸水性材料層部を備え、第二の吸水性紙層部及び第三の吸水性紙層部の間に背面側の第二の吸水性材料層部とを備えており、前記第一、第二及び第三の吸水性紙層部並びに第一及び第二の吸水性材料層部は、合わせられて一体に形成されている吸収体を備え、前記吸収体は、その表面側及び背面側の両外面を、前記表面及び背面の両透水性薄層部の夫々の内面に接して配置されることにより形成されおり、前記表面側の第一の吸水性材料層部は、パルプ材料及び感熱高分子ゲルを含有する吸水性混合物、パルプ材料、プラスチック材料及び感熱高分子ゲルを含有する吸水性混合物、パルプ材料、プラスチック材料及び感熱高分子ゲルを含有する吸水性混合物又はパルプ材料、プラスチック材料及び感熱高分子ゲルを含有する吸水性混合物若しくは感熱高分子ゲル、パルプ、プラスチック及び感熱高分子ゲルより少量の界面活性剤を含有する吸水性混合物又はこれら吸水性混合物の夫々にさらに吸水性樹脂が含有されている吸水性混合物により形成されており、前記吸水性樹脂背面側の第二の吸水性材料層部は、パルプ材料及び感熱高分子ゲルを含有する吸水性混合物、パルプ材料、プラスチック材料及び感熱高分子ゲルを含有する吸水性混合物、パルプ材料、プラスチック材料及び感熱高分子ゲルを含有する吸水性混合物又はパルプ材料、プラスチック材料及び感熱高分子ゲルを含有する吸水性混合物若しくは感熱高分子ゲル、パルプ、プラスチック及び感熱高分子ゲルより少量の界面活性剤を含有する混合物又はこれら吸水性混合物の夫々にさらに吸水性樹脂が含有されている吸水性混合物により形成されていることを特徴とするシーツにある。
本発明のシーツにおいて、透水性薄層部が、乾式不織布又は湿式不織布で形成されているものとすることができる。また、本発明において、背面を形成する不透水性薄層部は、透明又は半透明のプラスチックフィルム又は柔軟なプラスチックシートで形成されているものとすることができる。
【手続補正４】
【補正対象書類名】明細書
【補正対象項目名】００１２
【補正方法】変更
【補正の内容】
【００１２】
そしてまた、本発明は、表面を形成する透水性薄層部と、背面を形成する不透水性薄層部と、透水性薄層部及び不透水性薄層部の間に、前記のように、第一の吸水性紙層部と、第二の吸水性紙層部と、前記第一及び第二の吸水性紙層部間に設けられている吸水性材料層部とを備えており、これら前記第一の吸水性紙層部、吸水性材料層部及び第二の吸水性紙層部は、合わせられて一体に形成されている吸収体を備え、前記吸収体は、その表面側の面を、前記透水性薄層部の内側の面に接し、その背面側の面を、不透水性薄層部の内側の面に接して配置されることにより形成されており、前記吸水性材料層部は、パルプ材料及び感熱高分子ゲルを含有する吸水性混合物、パルプ材料、プラスチック材料及び感熱高分子ゲルを含有する吸水性混合物、パルプ材料、プラスチック材料及び感熱高分子ゲルを含有する吸水性混合物又はパルプ材料、プラスチック材料及び感熱高分子ゲルを含有する吸水性混合物若しくは感熱高分子ゲル、パルプ、プラスチック及び感熱高分子ゲルより少量の界面活性剤を含有する吸水性混合物又はこれら吸水性混合物の夫々にさらに吸水性樹脂が含有されている吸水性混合物により形成されていることを特徴とする包装材料にあり、また、本発明は、表面を形成する表面側透水性薄層部と、背面を形成する背面側透水性薄層部と、前記表面側透水性薄層部及び背面側透水性薄層部間に、前記のように、第一の吸水性紙層部と、第二の吸水性紙層部と、前記第一の吸水性紙層部と第二の吸水性紙層部の間に配置されている第三の吸水性紙層部と、第一の吸水性紙層部及び第三の吸水性紙層部の間に形成されている第一の吸水性材料層部と、第二の吸水性紙層部及び第三の吸水性紙層部の間に形成されている第二の吸水性材料層部とを備えており、前記第一、第二及び第三の吸水性紙層部並びに第一及び第二の吸水性材料層部は、合わせられて一体に形成されている吸収体を備え、前記吸収体は、その表面側及び背面側の両外面を、前記表面及び背面の両透水性薄層部の夫々の内面に接して配置されることにより形成されており、前記表面側の第一の吸水性材料層部は、パルプ材料及び感熱高分子ゲルを含有する吸水性混合物、パルプ材料、プラスチック材料及び感熱高分子ゲルを含有する吸水性混合物、パルプ材料、プラスチック材料及び感熱高分子ゲルを含有する吸水性混合物又はパルプ材料、プラスチック材料及び感熱高分子ゲルを含有する吸水性混合物若しくは感熱高分子ゲル、パルプ、プラスチック及び感熱高分子ゲルより少量の界面活性剤を含有する吸水性混合物又はこれら吸水性混合物にさらに吸水性樹脂が含有されている吸水性混合物により形成されており、前記吸水性樹脂背面側の第二の吸水性材料層部は、パルプ材料及び感熱高分子ゲルを含有する吸水性混合物、パルプ材料、プラスチック材料及び感熱高分子ゲルを含有する吸水性混合物、パルプ材料、プラスチック材料及び感熱高分子ゲルを含有する吸水性混合物又はパルプ材料、プラスチック材料及び感熱高分子ゲルを含有する吸水性混合物若しくは感熱高分子ゲル、パルプ、プラスチック及び感熱高分子ゲルより少量の界面活性剤を含有する吸水性混合物又はこれら吸水性混合物の夫々にさらに吸水性樹脂が含有されている吸水性混合物により形成されていることを特徴とする吸収体を備え、前記吸収体は、その表面側及び背面側の両外面を、前記表面及び背面の両透水性薄層部の夫々の内面に接して配置されることにより形成されていることを特徴とする包装材料にある。
そして、本発明の包装材料において、透水性薄層部は、乾式不織布又は湿式不織布で形成されているものとすることができる。そしてまた、本発明の包装材料において、背面を形成する不透水性薄層部は、透明又は半透明のプラスチックフィルム又は柔軟なプラスチックシートで形成されているものとすることができる。
【手続補正５】
【補正対象書類名】明細書
【補正対象項目名】００１４
【補正方法】変更
【補正の内容】
【００１４】
そして本発明は、パルプ材料及び感熱高分子ゲルを含有する背面側吸水性混合物又はパルプ材料、感熱高分子ゲル及び吸水性樹脂を含有する背面側吸水性混合物を背面側吸収紙上に載置し、この背面側吸水性混合物の上に、中間吸収紙を載置し、載置後加圧成形又は加圧成形せずに、この載置された中間吸収紙の上に、パルプ材料及び感熱高分子ゲルを含有する表面側吸水性混合物又はパルプ材料、感熱高分子ゲル及び吸水性樹脂を含有する表面側吸水性混合物を載置し、この載置された表面側吸水性混合物の上に、表面側吸収紙を載置し、この重ねられた前記背面側吸収紙、背面側吸水性混合物、中間吸収紙、表面側吸水性混合物及び表面側吸収紙を加圧して、一体に形成することを特徴とする吸収体の製造方法にあり、また、本発明は、パルプ材料、プラスチック材料及び感熱高分子ゲルを含有する背面側吸水性混合物又はパルプ材料、プラスチック材料、感熱高分子ゲル及び吸水性樹脂を含有する背面側吸水性混合物を背面側吸収紙上に載置し、この背面側吸水性混合物の上に、中間吸収紙を載置し、載置後加圧成形又は加圧成形せずに、この載置された中間吸収紙の上に、パルプ材料及び感熱高分子ゲルを含有する表面側吸水性混合物又はパルプ材料、感熱高分子ゲル及び吸水性樹脂を含有する表面側吸水性混合物を載置し、この載置された表面側吸水性混合物の上に、表面側吸収紙を載置し、この重ねられた前記背面側吸収紙、背面側吸水性混合物、中間吸収紙、表面側吸水性混合物及び表面側吸収紙を加圧して、一体に形成することを特徴とする吸収体の製造方法にあり、さらに本発明は、パルプ材料、プラスチック材料及び感熱高分子ゲルを含有する背面側吸水性混合物又はパルプ材料、プラスチック材料、感熱高分子ゲル及び吸水性樹脂を含有する背面側吸水性混合物を背面側吸収紙上に載置し、この背面側吸水性混合物の上に、中間吸収紙を載置し、載置後加圧成形又は加圧成形せずに、この載置された中間吸収紙の上に、パルプ材料、感熱高分子ゲル及びプラスチック材料を含有する表面側吸水性混合物又はパルプ材料、感熱高分子ゲル、プラスチック材料及び吸水性樹脂を含有する表面側吸水性混合物を載置し、この載置された表面側吸水性混合物の上に、表面側吸収紙を載置し、この重ねられた前記背面側吸収紙、背面側吸水性混合物、中間吸収紙、表面側吸水性混合物び表面側吸収紙を加圧して、一体に形成することを特徴とする吸収体の製造方法あり、さらにまた、本発明は、パルプ材料、プラスチック材料及び感熱高分子ゲルを含有する背面側吸水性混合物又はパルプ材料、プラスチック材料、感熱高分子ゲル及び吸水性樹脂を含有する背面側吸水性混合物を背面側吸収紙上に載置し、この背面側吸水性混合物に界面活性剤溶液を付着させ、この界面活性剤が付着した背面側吸水性混合物の上に、中間吸収紙を載置し、載置後加圧成形又は加圧成形せずに、この載置された中間吸収紙の上に、パルプ材料、感熱高分子ゲル及びプラスチック材料を含有する表面側吸水性混合物又はパルプ材料、感熱高分子ゲル、プラスチック材料及び吸水性樹脂を含有する表面側吸水性混合物を載置し、この載置された表面側吸水性混合物の上に、表面側吸収紙を載置し、この重ねられた前記背面側吸収紙、背面側吸水性混合物、中間吸収紙、表面側吸水性混合物及び表面側吸収紙を加圧して、一体に形成することを特徴とする吸収体の製造方法にあり、さらに加えて本発明は、パルプ材料、プラスチック材料及び感熱高分子ゲルを含有する背面側吸水性混合物又はパルプ材料、プラスチック材料、感熱高分子ゲル及び吸水性樹脂を含有する背面側吸水性混合物を背面側吸収紙上に載置し、この背面側吸水性混合物に界面活性剤溶液を付着させ、この界面活性剤が付着した背面側吸水性混合物の上に、中間吸収紙を載置し、載置後加圧成形又は加圧成形せずに、この載置された中間吸収紙の上に、パルプ材料、感熱高分子ゲル及びプラスチック材料を含有する表面側吸水性混合物又はパルプ材料、感熱高分子ゲル、プラスチック材料及び吸水性樹脂を含有する表面側吸水性混合物を載置し、この載置された表面側吸水性混合物に界面活性剤溶液を付着させ、この界面活性剤が付着した表面側吸水性混合物の上に、表面側吸収紙を載置し、この重ねられた前記背面側吸収紙、背面側吸水性混合物、中間吸収紙、表面側吸水性混合物及び表面側吸収紙を加圧して、一体に形成することを特徴とする吸収体の製造方法にある。
そして本発明の吸収体の製造方法において、吸水性混合物は、さらに吸水性樹脂を含有する混合物とすることができる。そしてまた、本発明の吸収体の製造方法において、吸水性混合物は、さらに吸水性樹脂を感熱高分子ゲルに対し同量以下の量で含有する混合物とすることができる。また、本発明の吸収体の製造方法において、表面側吸水性混合物若しくは背面側吸水性混合物又は表面側吸水性混合物及び背面側吸水性混合物は、さらに吸水性樹脂を含有する混合物とすることができる。さらに、本発明の吸収体の製造方法において、表面側吸水性混合物若しくは背面側吸水性混合物又は表面側吸水性混合物及び背面側吸水性混合物は、さらに吸水性樹脂を、感熱高分子ゲルに対し同量以下の量で含有する混合物とすることができる。さらにまた、本発明の吸収体の製造方法において、パルプ材料が７ｍｍ以下の粒度のパルプ廃材若しくは紙粉又はパルプ廃材及び紙粉を包含するものとすることができる。さらに加えて、本発明の吸収体の製造方法において、プラスチック材料が７ｍｍ以下の粒度の廃プラスチック材料を包含するものとすることができる。そして本発明の吸収体の製造方法において、パルプ廃材が、トイレットペーパー廃材、ティッシュペーパー廃材、化粧紙廃材、紙ナプキン廃材、ちり紙廃材、紙綿廃材、紙タオル廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材若しくは衛生用品廃棄物の分級産物のフラッフパルプ、又はこれら二以上を含む混合物とすることができる。また、本発明の吸収体の製造方法において、紙粉が、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、紙おむつ廃材粉砕物から分離されたプラスチック材料に富む分離産物、古紙パルプ廃材、合成樹脂繊維廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上を含む混合物とすることができる。さらに、本発明の吸収体の製造方法において、廃プラスチック材料は、紙おむつ廃材、乳パッド廃材、尿パッド廃材若しくは生理用ナプキン廃材から回収されたプラスチック材料、又は前記回収されたプラスチック材料の二以上を包含するものとすることができる。さらにまた、本発明の吸収体の製造方法において、吸水性樹脂は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物又は紙おむつ廃材粉砕物、乳パッド廃材粉砕物、尿パッド廃材粉砕物若しくは生理用ナプキン廃材粉砕物から分離回収された吸水性樹脂であり、又はこれら回収された吸水性樹脂の二以上の混合物とすることができる。さらにまた、本発明の吸収体の製造方法において、感熱高分子ゲルは、回収された感熱高分子ゲルを包含するものとすることができる。さらに加えて、本発明の吸収体の製造方法において、感熱高分子ゲルは、吸水性材料層部に、５０重量パーセント以下の含有率で含有させることができる。さらに加えて、本発明の吸収体の製造方法において、表面側吸収紙、吸水性混合物若しくは背面側吸収紙又は前記表面側吸収紙、吸水性混合物及び背面側吸収紙の二以上は、吸収体に配置される前又は配置された後に、その少なくとも一部に、殺菌作用を有する物質若しくは脱臭機能を有する物質が塗布されるものとすることができる。そして、本発明の吸収体の製造方法において、表面側吸収紙、中間吸収紙、背面側吸収紙、表面側吸水性混合物若しくは背面側吸水紙混合物又はこれらの二以上は、吸収体に使用される前に又は使用された後に、その少なくとも一部に、予め殺菌性を有する物質が含浸されるものとすることができる。そしてまた、本発明の吸収体の製造方法において、表面側吸収紙若しくは背面側吸収紙又は前記表面側吸収紙及び背面側吸収紙は、吸収紙、薄用紙、レーヨン紙若しくは衛生用紙又はこれらの二種以上を組み合わせた紙とすることができる。そして、本発明の吸収体の製造方法において、表面側吸収紙、中間吸収紙若しくは背面側吸収紙又は前記表面側吸収紙、中間吸収紙及び背面側吸収紙は、吸収紙、薄用紙、レーヨン紙若しくは衛生用紙又はこれらの二種以上を組み合わせた紙とすることができる。